(57)【要約】【課題】燃料タンクの外側に設置されている部材の損傷を防止可能な燃料供給装置を提供する。【解決手段】燃料タンク１の底部に燃料供給装置１０のポンプモジュール３０を挿入するためのタンク開口１ａが形成されている。フランジ１２はタンク開口１ａを塞いでいる。金属カバー２０は、フランジ１２の外周縁部１３を押し付ける環状の押圧部２２と、押圧部２２から内周側に広がるカバー部２４とを有し一体に形成されている。燃料タンク１の底部外壁から突出するねじ２にナット４をねじ締めすることにより、押圧部２２は燃料タンク１の底部外壁に向けてフランジ１２を押し付けている。フランジ１２と燃料タンク１との間にはゴム製のガスケット３８が挟持されている。ガスケット３８は、燃料タンク１内の燃料が漏れることを防止している。【選択図】      図１
2004308564.tif 000002
【特許請求の範囲】
【請求項１】
燃料タンク内の燃料を前記燃料タンクの外部に供給する燃料供給装置であって、
前記燃料タンクの底部に形成されたタンク開口から前記燃料タンク内に設置され、前記燃料タンク内の燃料を吸入し吐出する燃料ポンプと、
前記タンク開口を塞ぐ樹脂製の蓋部材と、
前記蓋部材の外周縁部と当接し前記燃料タンクの底部外壁に向けて前記外周縁部を押し付ける押圧部、ならびに前記押圧部から前記外周縁部の内周側に延び前記蓋部材の少なくとも一部を覆うカバー部を有する金属カバーと、
を備えることを特徴とする燃料供給装置。
【請求項２】
前記押圧部は閉じた環状に形成されていることを特徴とする請求項１記載の燃料供給装置。
【請求項３】
前記蓋部材から前記燃料タンクの外側に突出し、前記燃料ポンプが吐出する燃料を前記燃料タンクの外部に導出する燃料吐出管を備え、前記カバー部は前記燃料吐出管を覆っていることを特徴とする請求項１または２記載の燃料供給装置。
【請求項４】
前記金属カバーに面し前記金属カバーの前記燃料タンク側に形成される空間から排水する排水通路を前記金属カバーと前記蓋部材との間に形成していることを特徴とする請求項１から３のいずれか一項記載の燃料供給装置。
【請求項５】
前記金属カバーは内周側にカバー開口を有し、前記排水通路は前記外周縁部の外周側から前記カバー開口に向けて排水することを特徴とする請求項４記載の燃料供給装置。
【請求項６】
前記蓋部材および前記金属カバーは、前記蓋部材に対し前記金属カバーの回転方向の位置決めをする位置決め構造を有することを特徴とする請求項１から５のいずれか一項記載の燃料供給装置。
【請求項７】
自動二輪車の燃料タンクに設置されることを特徴とする請求項１から６のいずれか一項記載の燃料供給装置。
【発明の詳細な説明】
【０００１】
【発明の属する技術分野】
本発明は、燃料タンクの底部に形成されたタンク開口から燃料タンク内に燃料ポンプを設置する燃料供給装置に関する。
【０００２】
【従来の技術】
燃料タンクの底部に形成されたタンク開口から燃料タンク内に燃料ポンプを設置し、蓋部材でタンク開口を塞ぐ燃料供給装置が知られている（例えば、特許文献１参照）。特許文献１では、燃料タンク１とセットプレート４との間にパッキン３を挟持し、燃料タンク１側にセットプレート４を押し付けてタンク開口を塞いでいる。タンク開口からの燃料漏れを防止するためには、大きな力でセットプレート４をビスまたはボルト等で締め付ける必要がある。特許文献１において、加工の容易さ、軽量化を考量しセットプレート４を樹脂製にする場合、樹脂製のセットプレート４を直接大きな力で締め付けると、セットプレート４が損傷する恐れがある。
【０００３】
そこで、図８および図９に示すように、燃料タンク２２０の底部に形成されたタンク開口２２２を塞ぐフランジ２０２を樹脂製にし、金属カバー２１２で燃料タンク側にフランジ２０２を押し付ける燃料供給装置２００が考えられている。ポンプモジュール２１０は燃料ポンプと燃料フィルタとがモジュール化されたものである。フランジ２０２には、燃料吐出管２０４および電気コネクタ２０６が設置されている。フランジ２０２と燃料タンク２２０との間にガスケット２１４が挟持されており、ナット２１６で金属カバー２１２を締め付けることによりフランジ２０２を間接的に燃料タンク２２０側に押し付けている。ナット２１６の締付力により樹脂製のフランジ２０２が損傷することを防止し、かつタンク開口２２２からの燃料漏れを防止している。
【０００４】
【特許文献１】
特許第３３０３７０８号公報
【０００５】
【発明が解決しようとする課題】
しかしながら、図８および図９に示す燃料供給装置２００では、金属カバー２１２は環状に形成されており、フランジ２０２の外周縁部２０３だけを覆っている。したがって、燃料タンク２２０の下方から硬い異物が飛来すると、金属カバー２１２から露出しているフランジ２０２、燃料吐出管２０４または電気コネクタ２０６が損傷する恐れがある。
本発明は上記問題を解決するためになされたものであり、燃料タンクの外側に設置されている部材の損傷を防止可能な燃料供給装置を提供することを目的とする。
【０００６】
【課題を解決するための手段】
請求項１から７記載の発明によると、燃料タンクの底部に形成されたタンク開口を塞ぐ蓋部材を燃料タンクの底部外壁に向けて金属カバーの押圧部が押し付けており、金属カバーに押し付けられている外周縁部以外の蓋部材の少なくとも一部を金属カバーが覆っている。金属カバーに覆われている箇所に異物が衝突することを防止できるので、燃料タンクの外側に設置されている燃料供給装置の部材の損傷を防止できる。
【０００７】
請求項２記載の発明によると、蓋部材を押し付けている金属カバーの押圧部は閉じた環状に形成されている。押圧部が蓋部材の全周を押圧するので、燃料タンクに向けて蓋部材を均一に押し付けることができる。
請求項３記載の発明によると、金属カバーは燃料吐出管を覆っているので、燃料吐出管に異物が衝突することを防止できる。
【０００８】
前述した従来の燃料供給装置２００では、図９に示すように、金属カバー２１２が燃料タンク２２０の底部外壁にフランジ２０２を押し付け、フランジ２０２と燃料タンク２２０との間にガスケット２１４が挟持されているので、金属カバー２１２の外周側から金属カバー２１２とガスケット２１４との間に水が進入すると、金属カバー２１２がフランジ２０２を押し付けている箇所で水が遮られ、金属カバー２１２とガスケット２１４との間に形成された空間に水が溜まる。すると、水と接触している部材が腐食する恐れがある。特に、溜まった水に他の異物が混じり酸性またはアルカリ性を示すと、水と接触している部材が腐食しやすくなる。
【０００９】
請求項４記載の発明によると、金属カバーに面し金属カバーの燃料タンク側に形成された空間から排水する排水通路を金属カバーと蓋部材との間に形成しているので、前述した空間に水が溜まることを防止し、水による部材の腐食を防止できる。
請求項５記載の発明によると、金属カバーは内周側にカバー開口を有し、排水通路は蓋部材の外周縁部の外周側からカバー開口に向けて排水する。金属カバーが押し付けている蓋部材の外周縁部で水が遮られ溜まることを防止できる。
【００１０】
請求項６記載の発明によると、蓋部材および金属カバーは、蓋部材に対し金属カバーの回転方向の位置決めをする位置決め構造を有する。蓋部材に対する金属カバーの回転方向の位置決めが容易であり、蓋部材に金属カバーを容易に組み付けることができる。
請求項７記載の発明のように、燃料供給装置が自動二輪車の燃料タンクに設置される場合、燃料タンクは通常外部に露出していることが多いので、異物が蓋部材に衝突しやすい。しかし請求項７記載の発明は請求項１記載の構成を備えているので、金属カバーのカバー部が異物を遮り、蓋部材の損傷を防止できる。
【００１１】
【発明の実施の形態】
以下、本発明の複数の実施の形態を図に基づいて説明する。
（第１実施形態）
本発明の第１実施形態による燃料供給装置を図１に示す。燃料供給装置１０は、自動二輪車の燃料タンク１に設置される。
燃料タンク１の底部に燃料供給装置１０のポンプモジュール３０を挿入するためのタンク開口１ａが形成されている。燃料供給装置１０は、樹脂製のフランジ１２、金属カバー２０、ポンプモジュール３０およびガスケット３８等を備えている。
【００１２】
蓋部材としてのフランジ１２はタンク開口１ａを塞いでいる。フランジ１２には、爪１４、燃料吐出管１５、電気コネクタ１６、支持部１８および流入口１９が一体に樹脂成形されている。爪１４は金属カバー２０の凹部２７に嵌合している。爪１４および凹部２７は位置決め構造を構成している。燃料吐出管１５および電気コネクタ１６はフランジ１２と一体に樹脂成形してもよいし、別部材でフランジ１２に組み付けてもよい。また燃料吐出管１５は金属製でもよい。燃料吐出管１５および電気コネクタ１６はフランジ１２から燃料タンク１の外側に突出している。燃料吐出管１５は、ポンプモジュール３０から吐出される燃料をエンジン側に供給する。ポンプモジュール３０は燃料ポンプおよび燃料フィルタを有しており、タンク開口１ａから燃料タンク１内に設置されている。
【００１３】
電気コネクタ１６は、リード線３６によりポンプモジュール３０の電気コネクタ３２と電気的に接続しており、電気コネクタ１６からポンプモジュール３０の燃料ポンプに電力が供給される。支持部１８はスナップフィット等によりポンプモジュール３０と結合しポンプモジュール３０を支持している。流入口１９はポンプモジュール３０の流出口３４と嵌合している。ポンプモジュール３０から吐出される燃料は、流出口３４、流入口１９、燃料吐出管１５を通りエンジン側に供給される。
【００１４】
金属カバー２０は、フランジ１２の外周縁部１３を押し付ける環状の押圧部２２と、押圧部２２から内周側に広がるカバー部２４とを有し一体に形成されている。燃料タンク１の底部外壁から突出するねじ２にナット４をねじ締めすることにより、押圧部２２は燃料タンク１の底部外壁に向けてフランジ１２を押し付けている。フランジ１２と燃料タンク１との間にはゴム製のガスケット３８が挟持されている。ガスケット３８は、燃料タンク１内の燃料が漏れることを防止している。
【００１５】
カバー部２４は燃料吐出管１５を覆う管カバー２５を有している。管カバー２５は、燃料吐出管１５の燃料吐出方向に開口している。カバー部２４の内周側にカバー開口２６が形成されており、カバー開口２６の内周縁に凹部２７が形成されている。爪１４が凹部２７に嵌合することにより、フランジ１２に対する金属カバー２０の回転方向の位置決めがなされる。
【００１６】
自動二輪車の燃料タンク１は、通常外気に晒されており、運転者の邪魔にならないように燃料供給装置１０は燃料タンク１の底部に設置される。したがって、走行中に路面から小石等の異物が跳ね上がり燃料供給装置１０に衝突することがある。第１実施形態では、金属カバー２０のカバー部２４が燃料タンク１の外側に設置されているフランジ１２および燃料吐出管１５の大部分を覆っている。したがって、異物がフランジ１２および燃料吐出管１５に衝突することを防止し、フランジ１２および燃料吐出管１５が損傷することを防止できる。これにより、フランジ１２または燃料吐出管１５の損傷箇所から燃料が漏れることを防止できる。
【００１７】
（第２実施形態、第３実施形態）
本発明の第２実施形態を図２に、第３実施形態を図３に示す。第１実施形態と実質的に同一構成部分に同一符号を付す。
図２に示す第２実施形態の金属カバー４０では、フランジ１２を覆うカバー部４２と、燃料吐出管１５を覆う管カバー４３とが別部材であり、溶接等で結合されている。
【００１８】
図３に示す第３実施形態の金属カバー５０では、カバー部５２のカバー開口５３の内周側に燃料吐出管１５および電気コネクタ１６が位置しており、カバー部５２はフランジ１２を覆っているが燃料吐出管１５を覆っていない。カバー部５２は少なくともフランジ１２の損傷を防止できる。
【００１９】
（第４実施形態）
本発明の第４実施形態を図４および図５に示す。第３実施形態と実質的に同一構成部分に同一符号を付す。
第４実施形態では、第３実施形態では、フランジ１２と向き合っている金属カバー５０の対向面５４に形成された溝により、金属カバー５０とフランジ１２との間に排水通路１００が形成されている。排水通路１００は、金属カバー５０の押圧部２２がフランジ１２の外周縁部１３を押し付けている箇所の外周側からカバー開口５３にかけて周方向に複数形成されている。金属カバー５０の外周側から金属カバー５０に面し金属カバー５０の燃料タンク１側に形成されている空間１１０に流入した水は、外周縁部１３の外周側から排水通路１００を通りカバー開口５３から排出される。金属カバー５０の押圧部２２がフランジ１２の外周縁部１３を押し付けている箇所で水が遮られず溜まらないので、水による部材の腐食を防止できる。
【００２０】
（第５実施形態）
本発明の第５実施形態を図６および図７に示す。第４実施形態と実質的に同一構成部分に同一符号を付す。
第５実施形態では、フランジ１２が金属カバー５０と向き合っている対向面１３ａに形成された溝によりフランジ１２と金属カバー５０との間に排水通路１０２が形成されている。排水通路１０２は、フランジ１２の外周縁部１３からカバー開口５３の内周側まで周方向に複数形成されている。金属カバー５０の外周側から空間１１０に流入した水は、外周縁部１３の外周側から排水通路１０２を通りカバー開口５３から排出される。金属カバー５０の押圧部２２がフランジ１２の外周縁部１３を押し付けている箇所で水が遮られず溜まらないので、水による部材の腐食を防止できる。
【００２１】
排水通路１００、１０２を形成した第４実施形態および第５実施形態において、燃料吐出管１５を覆う管カバーを金属カバー５０に形成してもよい。
【００２２】
以上説明した上記複数の実施形態では、金属カバーの押圧部を一部材で構成したが、複数部材で押圧部を構成してもよい。また、押圧部は閉じた環状ではなく、１箇所以上が途切れた環状でもよい。
本発明は、二輪自動車だけでなく、燃料タンクの底部に形成したタンク開口から燃料タンク内に燃料ポンプを設置する燃料供給装置に適用できる。
【図面の簡単な説明】
【図１】（Ａ）は本発明の第１実施形態による燃料供給装置を燃料タンクに取り付けている状態を示す説明図であり、（Ｂ）は（Ａ）のＢ方向矢視図である。
【図２】本発明の第２実施形態を示す図１の（Ｂ）と同じ方向からの矢視図である。
【図３】本発明の第３実施形態を示す図１の（Ｂ）と同じ方向からの矢視図である。
【図４】本発明の第４実施形態による排水通路を示す拡大断面図である。
【図５】図４のＶ方向矢視図である。
【図６】本発明の第５実施形態による排水通路を示す拡大断面図である。
【図７】図６のＶＩＩ  方向矢視図である。
【図８】（Ａ）は従来の燃料供給装置を燃料タンクに取り付けている状態を示す説明図であり、（Ｂ）は（Ａ）のＢ方向矢視図である。
【図９】従来の金属カバーがフランジを押し付けている状態を示す拡大断面図である。
【符号の説明】
１      燃料タンク
１ａ    タンク開口
１０      燃料供給装置
１２      フランジ（蓋部材）
１４      爪（位置決め構造）
１５      燃料吐出管
１６      電気コネクタ
２０、４０、５０      金属カバー
２２      押圧部
２４、４２、５２      カバー部
２５、４３      管カバー
２６、５３      カバー開口
２７      凹部（位置決め構造）
３０      ポンプモジュール
１００、１０２      排水通路
１１０      空間
【図１】
2004308564.tif 000003
【図２】
2004308564.tif 000004
【図３】
2004308564.tif 000005
【図４】
2004308564.tif 000006
【図５】
2004308564.tif 000007
【図６】
2004308564.tif 000008
【図７】
2004308564.tif 000009
【図８】
2004308564.tif 000010
【図９】
2004308564.tif 000011